(57)【特許請求の範囲】
【請求項１】
上部デッキボードの周縁部には、ＩＤタグが縦方向に収納可能な縦穴が穿設されているとともに、上記上部デッキボードの側面には、上記縦穴に連通するとともに、その横幅が、上記縦穴の横幅に比べて狭い横穴が穿設されており、また、上記縦穴の内壁には、上記縦穴に収納されたＩＤタグの周面が当接する係止部材が形成されており、上記ＩＤタグが、上記縦穴に収納された際には、上記ＩＤタグが、上記係止部材に係止されて、上記ＩＤタグの縦穴からの抜け出しが阻止されるように構成されているとともに、上記横穴から、上記縦穴に収納されたＩＤタグが確認できるように構成されており、且つ、上記横穴から、レバーを挿入して、該レバーを、上記ＩＤタグの下部周面に当てた後、前記レバーを持ち上げることにより、上記ＩＤタグを、上記縦穴から取り出すことができるように構成されていることを特徴とする合成樹脂製パレット。
【請求項２】
ＩＤタグが挿入可能な縦穴の垂直内壁に、金型補強用の楔状の凹部が形成されていることを特徴とする請求項１に記載の合成樹脂製パレット。
【発明の詳細な説明】
【０００１】
【発明の属する技術分野】
本発明は、電磁波やマイクロ波にて通信可能なＩＤタグが配設された合成樹脂製パレットに関するものである。
【０００２】
【従来の技術】
従来、合成樹脂製パレットの隅桁間に位置する中間桁等に、カプセルや箱体に収容されたＩＤタグを取り付けた合成樹脂製パレットが知られている。
【０００３】
【発明が解決しようとする課題】
上述した従来の合成樹脂製パレットにおいては、ＩＤタグをカプセルや箱体に収納し、該カプセルや箱体に収納されたＩＤタグを合成樹脂製パレットに取り付けたものであるので、ＩＤタグの取り外しが困難であるとともに、ＩＤタグのみを購入して、合成樹脂製パレットに取り付けることができないという問題があった。
【０００４】
また、合成樹脂製パレットを、粉砕してリサイクルする場合にも、ＩＤタグがカプセルや箱体に収納されているために、その取り出しが困難であるために、合成樹脂製パレットのリサイクル費用が高価なものになるという問題があった。
【０００５】
本発明の目的は、上述した従来の合成樹脂製パレットが有する課題を解決するとともに、ＩＤタグの再利用が可能な合成樹脂製パレットを提供することにある。
【０００６】
【課題を解決するための手段】
本発明は、上述した目的を達成するために、第１には、上部デッキボードの周縁部には、ＩＤタグが縦方向に収納可能な縦穴が穿設されているとともに、上記上部デッキボードの側面には、上記縦穴に連通するとともに、その横幅が、上記縦穴の横幅に比べて狭い横穴が穿設されており、また、上記縦穴の内壁には、上記縦穴に収納されたＩＤタグの周面が当接する係止部材が形成されており、上記ＩＤタグが、上記縦穴に収納された際には、上記ＩＤタグが、上記係止部材に係止されて、上記ＩＤタグの縦穴からの抜け出しが阻止されるように構成されているとともに、上記横穴から、上記縦穴に収納されたＩＤタグが確認できるように構成されており、且つ、上記横穴から、レバーを挿入して、該レバーを、上記ＩＤタグの下部周面に当てた後、前記レバーを持ち上げることにより、上記ＩＤタグを、上記縦穴から取り出すことができるように構成したものであり、第２には、ＩＤタグが挿入可能な縦穴の垂直内壁に、金型補強用の楔状の凹部を形成したものである。
【０００７】
【実施例】
以下に、本発明の合成樹脂製パレットの斜視図である図１、本発明の合成樹脂製パレットのＩＤタグ取り付け機構の拡大斜視図である図２、図２に示されたＩＤタグ取り付け機構の側部断面図である図３、本発明の合成樹脂製パレットの他のＩＤタグ取り付け機構の拡大斜視図である図４、図４に示されたＩＤタグ取り付け機構の側部断面図である図５、図４に示されたＩＤタグ取り付け機構の正面図である図６、本発明の合成樹脂製パレットの更に他のＩＤタグ取り付け機構の拡大斜視図である図７、図７に示されたＩＤタグ取り付け機構の側部断面図である図８及び図７に示されたＩＤタグ取り付け機構の正面図である図９を用いて、本発明の実施例について説明するが、本発明の趣旨を越えない限り何ら、本実施例に限定されるものではない。
【０００８】
先ず最初に、図１〜図３を用いて、本発明の一実施例について説明する。
【０００９】
一例としての合成樹脂製パレットＰは、上部デッキボード１と下部デッキボード２とを有し、上部デッキボード１と下部デッキボード２とは、合成樹脂製パレットＰの四隅に配置された隅桁３と該隅桁３間に配置された中間桁４と合成樹脂製パレットＰの中央部に配置された、図示されていない中央桁により連結されている。また、隅桁３と中間桁４との間には、フォーク差し込み孔５が形成されている。中間桁４の上方に位置する上部デッキボード１には、後述するＩＤタグ取り付け機構Ｃが配設されている。
【００１０】
ｃ１は、中間桁４の上方に位置する上部デッキボード１の周縁部に形成された、一例としての円盤状のＩＤタグＴが縦方向に収納可能な縦穴であり、上部デッキボード１の側面１ａからは、縦穴ｃ１に連通する横穴ｃ２が形成されている。横穴ｃ２は、正面形状が縦長の長方形に形成されており、その横幅ｗ１が、縦穴ｃ１の横幅ｗ２に比べて狭く、縦穴ｃ１の略中心部に配置されている。ｃ３は、縦穴ｃ１と上部デッキボード１の側面１ａとの間に形成された、上記横穴ｃ２が形成された壁部であり、該壁部ｃ３の縦穴ｃ１側の内壁の上方には、水平方向に延在する係止部材としての係止凸条ｃ４が突設されている。図３に示されているように、縦穴１ｃに挿入されたＩＤタグＴの上端部ｔ１が、係止凸条ｃ４の下面に圧接されて、縦穴１ｃに挿入されたＩＤタグＴが、簡単に、縦穴１ｃから抜け出ないように構成されている。なお、係止凸条ｃ４は、縦穴１ｃの上部デッキボード１の中央部側の内壁ｃ５に形成することもできる。なお、係止凸条ｃ４は、ＩＤタグＴの上端部ｔ１に係合する長さを有しておればよく、金型の設計上から、横穴ｃ２の幅と同じに長さにすることが好ましい。
【００１１】
図２に示されているように、ＩＤタグＴを立てた状態、即ち、円盤状のＩＤタグＴの円形状側面ｔ２が垂直の状態で、ＩＤタグＴを、縦穴ｃ１に挿入し、縦穴ｃ１に挿入されたＩＤタグＴは、その上端部ｔ１が、壁部ｃ３の縦穴ｃ１側の内壁に形成された係止凸条ｃ４の下面に圧接されて係止されることになる。縦穴ｃ１に挿入されたＩＤタグＴは、横穴ｃ２から確認できるので、段積みされた空の或いは物品が載置された合成樹脂製パレットＰの側面から、合成樹脂製パレットＰにＩＤタグＴが配設されているかどうかを確認することができる。また、縦穴ｃ１に挿入されたＩＤタグＴを、取り出す際には、横穴ｃ２から適当なレバーを挿入し、レバーを、ＩＤタグＴの下部側面に当てるとともに、上方に移動させることにより、ＩＤタグＴを上方に持ち上げて、ＩＤタグＴの上端部を、縦穴ｃ１から突出させた後に、手やペンチ等で挟んで、縦穴ｃ１から取り出すことができる。
【００１２】
図４〜図６に示された実施例は、上述した縦穴ｃ１に、上部デッキボード１の側面１ａから連通する横穴ｃ６は、その横幅が、縦穴ｃ１の幅と略同じに広く形成されており、従って、上述した実施例に比べて、縦穴ｃ１に挿入されたＩＤタグＴの横穴ｃ２からの確認を、より容易に、確実に行うことができる。横穴ｃ６の横幅が、縦穴ｃ１の幅と略同じに広く形成されているので、横穴ｃ６から、縦穴ｃ１に挿入されたＩＤタグＴが抜け出る可能性があるので、横穴ｃ６からのＩＤタグＴの抜けを防止するために、横穴ｃ６の底面から、突片ｃ７が突設されている。このような突片ｃ７を突設したことにより、縦穴ｃ１に挿入されたＩＤタグＴの側面下部が、突片ｃ７に当接し、従って、横穴６ｃから、ＩＤタグＴが抜け出るようなことがない。ｃ８は、縦穴ｃ１の相対する側壁面ｃ１ａ、ｃ１ｂに形成された、水平方向に延在する、係止部材としての凸条である。ＩＤタグＴを立てた状態、即ち、円盤状のＩＤタグＴの円形状側面ｔ２が垂直の状態で、ＩＤタグＴを、縦穴ｃ１に挿入すると、縦穴ｃ１に挿入されたＩＤタグＴは、図６に示されているように、その上端部ｔ１付近の肩部が、縦穴ｃ１の両側壁面ｃ１ａ、ｃ１ｂに形成された凸条ｃ８に係止されて、縦穴ｃ１から上方に抜け出ることが防止できる。縦穴ｃ１に挿入されたＩＤタグＴを、取り出す際には、上述した実施例と同様に、横穴ｃ６から適当なレバーを挿入し、レバーを、ＩＤタグＴの下部側面に当てるとともに、上方に移動させることにより、ＩＤタグＴを上方に持ち上げて、ＩＤタグＴの上端部を、縦穴ｃ１から突出させた後に、手やペンチ等で挟んで、縦穴ｃ１から取り出すことができる。
【００１３】
図７〜図９に示されている実施例においては、縦穴ｃ１に連通する横穴ｃ９は、正面形状が縦長の長方形に形成されており、上述した図２に示されている実施例と同様に、その横幅が、縦穴ｃ１の横幅に比べて狭く、また、図９から明らかなように、正面から見たときに、縦穴ｃ１の一方の端部側に偏在して形成されている。また、縦穴ｃ１の一方の側壁面ｃ１ａには、水平方向に延在する、係止部材としての凸条ｃ１０が突設されている。ＩＤタグＴを立てた状態、即ち、円盤状のＩＤタグＴの円形状側面ｔ２が垂直の状態で、ＩＤタグＴを、縦穴ｃ１に挿入すると、縦穴ｃ１に挿入されたＩＤタグＴは、図９に示されているように、その上端部ｔ１付近の一方の肩部が、縦穴ｃ１の一方の側壁面ｃ１ａに形成された凸条ｃ１０に係止されて、縦穴ｃ１から上方に抜け出ることが防止できる。勿論。このような凸条ｃ１０は、上述した図４〜図６に示された実施例のように、縦穴ｃ１の相対する両側壁面ｃ１ａ、ｃ１ｂに形成することもできる。縦穴ｃ１に挿入されたＩＤタグＴを、取り出す際には、上述した２つの実施例と同様に、横穴ｃ９から適当なレバーを挿入し、レバーを、ＩＤタグＴの下部側面に当てるとともに、上方に移動させることにより、ＩＤタグＴを上方に持ち上げて、ＩＤタグＴの上端部を、縦穴ｃ１から突出させた後に、手やペンチ等で挟んで、縦穴ｃ１から取り出すことができる。
【００１４】
ｃ１１は、縦穴ｃ１の上部デッキボード１の中央部側の内壁ｃ５に形成された楔状の凹部であり、このような楔状の凹部ｃ１１を形成することにより、合成樹脂製パレットＰを射出成形する際に、縦穴成形用の金型の厚さを、楔状の凹部ｃ１１に対応する部分だけ厚く形成することができる。ＩＤタグＴの厚さが薄く、縦穴ｃ１の奥行きが狭い場合には、縦穴成形用の金型が薄くなり、従って、縦穴成形用の金型を縦穴ｃ１から抜く際に、縦穴成形用の金型が折れ曲がったりして損傷することがある。本実施例にように、縦穴ｃ１の上部デッキボード１の中央部側の内壁ｃ５に楔状の凹部ｃ１１を形成したことにより、この楔状の凹部ｃ１１の分だけ、縦穴成形用の金型を厚く、丈夫に形成することができるので、合成樹脂製パレットＰの成形後、縦穴成形用の金型を縦穴ｃ１から抜く際に、射出圧力の影響で倒れて、縦穴成形用の金型が折れ曲がったりするようなことが防止できる。
【００１５】
上述した実施例においては、縦穴ｃ１に挿入されるＩＤタグＴとして、円盤状のＩＤタグＴを使用した例が示されているが、方形状の板状のＩＤタグや柱状のＩＤタグを使用することができる。柱状のＩＤタグをしようする場合には、当然のことながら、縦穴ｃ１も、柱状のＩＤタグが挿入できるような形状とする。
【００１６】
また、上述した実施例においては、ＩＤタグ取り付け機構Ｃが、上部デッキボード１の厚さ範囲内に形成されている例が用いられているが、ＩＤタグＴの大きさによっては、或いは、フォークリフトに配設されたＩＤタグＴ用のバーアンテナ等の受信部材の位置によっては、ＩＤタグ取り付け機構Ｃを、中間桁４内に入り込んで配設することもできる。
【００１７】
【発明の効果】
本発明は、以上説明したように構成されているので、以下に記載する効果を奏することができる。
【００１８】
デッキボードに、ＩＤタグが挿入可能な縦穴を穿設するとともに、デッキボードの側面から、縦穴に連通する横穴を穿設したので、合成樹脂製パレットへのＩＤタグの挿入、取り外しが容易になるとともに、合成樹脂製パレットの側面からのＩＤタグの挿入状態が確認できる。特に、合成樹脂製パレットを多数段積みした際のＩＤタグの挿入状態が容易に確認できる。
【００１９】
デッキボードに穿設された縦穴に、直に、ＩＤタグを挿入したので、ＩＤタグの取り外しが容易であるとともに、合成樹脂製パレットのリサイクル費用の低減化が実現できる。
【００２０】
ＩＤタグが挿入可能な縦穴の垂直内壁に、縦穴に挿入されたＩＤタグが係合する係止部材を形成したので、ＩＤタグの縦穴内への係止が簡単に、しかも、確実にできるとともに、合成樹脂製パレットへのＩＤタグの挿入、取り外しが容易になる。
【００２１】
ＩＤタグが挿入可能な縦穴の垂直内壁に、金型補強用の楔状の凹部を形成したので、縦穴から縦穴成形用の金型を取り外す際に、縦穴成形用の金型が曲がったり、折れたりするようなことが防止できる。
【図面の簡単な説明】
【図１】図１は本発明の合成樹脂製パレットの斜視図である。
【図２】図２は本発明の合成樹脂製パレットのＩＤタグ取り付け機構の拡大斜視図である。
【図３】図３は図２に示されたＩＤタグ取り付け機構の側部断面図である。
【図４】図４は本発明の合成樹脂製パレットの他のＩＤタグ取り付け機構の拡大斜視図である。
【図５】図５は図４に示されたＩＤタグ取り付け機構の側部断面図である。
【図６】図６は図４に示されたＩＤタグ取り付け機構の正面図である。
【図７】図７は本発明の合成樹脂製パレットの更に他のＩＤタグ取り付け機構の拡大斜視図である。
【図８】図８は図７に示されたＩＤタグ取り付け機構の側部断面図である。
【図９】図９は図７に示されたＩＤタグ取り付け機構の正面図である。
【符号の説明】
Ｃ・・・・・・・・・・ＩＤタグ取り付け機構
Ｐ・・・・・・・・・・合成樹脂製パレット
Ｔ・・・・・・・・・・ＩＤタグ
１・・・・・・・・・・上部デッキボード
２・・・・・・・・・・下部デッキボード
４・・・・・・・・・・中間桁
ｃ１・・・・・・・・・縦穴
ｃ２、ｃ６、ｃ９・・・横穴
ｃ４、ｃ８、ｃ１０・・係止部材
【図１】
0004044639.tif 000002
【図２】
0004044639.tif 000003
【図３】
0004044639.tif 000004
【図４】
0004044639.tif 000005
【図５】
0004044639.tif 000006
【図６】
0004044639.tif 000007
【図７】
0004044639.tif 000008
【図８】
0004044639.tif 000009
【図９】
0004044639.tif 000010